(57)【要約】【課題】許容量以上の注水が行われても、再度バルーン先端部をバルーン固定部に取付ける必要なく継続して使用可能なバルーン付き超音波プローブを提供する。【解決手段】本発明のバルーン付き超音波プローブは、体腔内に挿入する部分が媒体７で満たされたシース２で覆われており、シース２の先端には、第１，第２の固定部３ａ，３ｂを有するバルーン固定部３Ａが設けられ、バルーン固定部３Ａの先端側には突起状のバルーン止め部材１４が設けられている。注水／吸水装置１３による許容量以上の注水によりバルーン１０の内圧が一定以上になると、バルーン先端部１５はバルーン固定部３Ａ上を移動し、第１の固定部３ａに到達し放水され、バルーン１０は収縮するが、バルーン止め部材１４にて係止されることで超音波プローブ１先端から脱落しない。そして、バルーン１０内の内圧が一定以下になると、収集力に伴い、バルーン先端部１５は第２の固定部３ｂまで移動することで放水が止まり、再度バルーン１０を膨張させて使用することができる。【選択図】図１
2004167009.tif 000002
【特許請求の範囲】
【請求項１】
内視鏡の鉗子チャンネルに挿通可能な挿入部の先端付近に超音波振動子を有し、その先端側にバルーンを係止するためのバルーン固定部を有する超音波プローブと、該超音波プローブに対し固定保持するためのバルーン先端部がＯリング状に成形されたバルーンをチューブの先端に固定したバルーンシースとを組み合わせて構成されたバルーン付き超音波プローブにおいて、
前記超音波プローブは、前記バルーン固定部の挿入方向の長さをバルーン先端部のＯリングの線径より長くして該バルーン先端部が前記バルーン固定部上を挿入方向に対して移動可能に構成し、
前記バルーン固定部は、挿入方向の前方側に配された第１の固定部と、後方側に配された第２の固定部とを有し、前記第１の固定部は前記バルーン先端部との間で前記バルーンの内側と外側を結ぶ経路が生成される連通構造となるように構成し、前記第２の固定部は前記バルーンの先端部との間で前記バルーンの内側と外側を結ぶ経路が生成されない非連通構造となるように構成したことを特徴とするバルーン付き超音波プローブ。
【請求項２】
前記バルーン固定部は、該バルーン固定部より挿入方向前方側に配され突起形状に形成されたバルーン止め部材を設け、該バルーン止め部材は、前記第１の固定部に設けられた経路が前記超音波プローブの外側に連通された構造で構成したことを特徴とする請求項１に記載のバルーン付き超音波プローブ。
【発明の詳細な説明】
【０００１】
【発明の属する技術分野】
本発明は、超音波診断用の超音波プローブに係り、特に観察部位との密着性を高めたり、超音波プローブと観察部位との距離を所望の値に保つための超音波プローブ用バルーンシースが装着されたバルーン付き超音波プローブに関する。
【０００２】
【従来の技術】
近年、体腔内の深部を超音波診断するために、先端に超音波振動子を設けた挿入部を経内視鏡的もしくは経皮的に体腔内に挿入し、観測用超音波をラジアル走査やリニア走査して超音波画像を得る超音波プローブ及び超音波観測装置が広く使われてきている。
【０００３】
このような超音波プローブにおいて、発生する超音波ビームの周波数は５ＭＨｚ以上が一般的であり、超音波プローブと観察部位との間に空気が存在すると超音波ビームは減衰して観察部位まで到達することができず、超音波画像を得ることができなくなる。そこで、良好な超音波観察を行うためには超音波プローブと観察部位との間に超音波伝達媒体（水など）を介在させることが必要となる。
【０００４】
超音波プローブと観察部位との間に超音波伝達媒体を介在させる手法としては、観察部位に水を注水して観察部位とプローブの振動子部分とを水没させる方法（一般に充満法と呼ばれる）と、超音波プローブにバルーンを装着し、バルーン内に水を注入して観察部位にバルーンを密着させる方法（一般にバルーン密着法と呼ばれる）の大きく２通りの方法がある。
【０００５】
バルーン密着法を行うための装置としては、外装チューブの開口端に口金を介して袋小路状のバルーンを取り付けた構成のバルーンシースが従来用いられている。このバルーンシースでは、バルーン内に超音波伝達媒体を注入してバルーンを膨張させ、超音波振動子を備えた超音波プローブを外装チューブ内部に挿入して超音波観察を行う構成となっている。なお、シースの手元側には、前記バルーンを膨張させたり、収縮させたりするための超音波伝達媒体をバルーン内に注水／吸水するシリンジ等の注水／吸水装置が設けられている。
【０００６】
また、バルーンシースの他の構成例として、先端が閉塞された外装チューブを用いて構成したものもある。このバルーンシースは、外装チューブの先端近傍の側面に開口部が形成され、この開口部を被うように外装チューブの先端近傍の外周部にバルーンが設けられ、開口部の前後でバルーンが固定された構成となっている。
【０００７】
しかしながら、このような構成では、前者の構造のものでは、術者が誤ってバルーンを過剰に膨張させてしまったときに、バルーンが破裂して脱落する虞れがあり、一方、後者の構造のものでは、過剰にバルーンを膨張させた場合でも、バルーンの両端が固定されているため、バルーンの脱落の問題は解消されるものの、超音波観察において、超音波プローブから出射した超音波ビームが外装チューブ及びバルーンを経て観察部位に到達するため、バルーンによるアーチファクトに加え外装チューブによるアーチファクトが発生し、良好な超音波画像が得られず、また、バルーンによる感度低下に加え外装チューブによる感度低下が生じてしまう。
【０００８】
そこで、本件出願人は、上記問題点を解消するために、例えば特開平８−２４３４８号公報によって、提案がなされた超音波プローブ用バルーンシースがある。この提案による超音波プローブ用バルーンシースは、可撓性シースの先端部にバルーンを備え、内部に超音波プローブを挿通可能な超音波プローブ用バルーンシースにおいて、前記バルーンが破裂する圧力以下で該バルーンの一部が前記可撓性シース先端部より外れるようにバルーンと可撓性シースとの固定強度を部分的に弱くして前記バルーンを前記可撓性シースの先端に固定したことを特徴とするものである。これにより、術者が誤ってバルーンを過剰に膨張させた場合でもバルーンが脱落したり破裂することを防止でき、また、バルーン以外でのアーチファクト及び感度低下が発生しないようにすることが可能な超音波プローブ用バルーンシースを提供するようにしている。
【０００９】
【特許文献１】
特願平８−２４３４８号公報（第３−５頁、第８図）
【００１０】
【発明が解決しようとする課題】
しかしながら、上記特願平８−２４３４８号公報に記載の超音波用バルーンシースでは、超音波プローブとバルーンシースとの組み合わせにおいては、誤ってバルーン内に許容量以上の注水を行った際に、バルーン先端部がバルーン固定部から外れることになるため、検査を続行するには、プローブを体腔内から引き抜き、体腔外で作業し、再度鉗子チャンネルを通して体腔内に入れる必要があり、検査時間が増大するといった問題点があった。
【００１１】
そこで、本発明は上記問題点に鑑みてなされたものであり、許容量以上の注水が行われても、再度バルーン先端部をバルーン固定部に取付ける必要なく継続して使用可能なバルーン付き超音波プローブを提供することを目的とする。
【００１２】
【課題を解決するための手段】
請求項１に係る発明は、内視鏡の鉗子チャンネルに挿通可能な挿入部の先端付近に超音波振動子を有し、その先端側にバルーンを係止するためのバルーン固定部を有する超音波プローブと、該超音波プローブに対し固定保持するためのバルーン先端部がＯリング状に成形されたバルーンをチューブの先端に固定したバルーンシースとを組み合わせて構成されたバルーン付き超音波プローブにおいて、前記超音波プローブは、前記バルーン固定部の挿入方向の長さをバルーン先端部のＯリングの線径より長くして該バルーン先端部が前記バルーン固定部上を挿入方向に対して移動可能に構成し、前記バルーン固定部は、挿入方向の前方側に配された第１の固定部と、後方側に配された第２の固定部とを有し、前記第１の固定部は前記バルーン先端部との間で前記バルーンの内側と外側を結ぶ経路が生成される連通構造となるように構成し、前記第２の固定部は前記バルーンの先端部との間で前記バルーンの内側と外側を結ぶ経路が生成されない非連通構造となるように構成したことを特徴とするものである。
【００１３】
請求項２に係る発明は、請求項１に記載のバルーン付き超音波プローブにおいて、前記バルーン固定部は、該バルーン固定部より挿入方向前方側に配され突起形状に形成されたバルーン止め部材を設け、該バルーン止め部材は、前記第１の固定部に設けられた経路が前記超音波プローブの外側に連通された構造で構成したことを特徴とするものである。
【００１４】
この構成によれば、許容量以上の注水が行われても、再度バルーン先端部をバルーン固定部に取付ける必要なく継続して使用可能なバルーン付き超音波プローブの実現が可能となる。
【００１５】
【発明の実施の形態】
以下、図面を参照して本発明の実施の形態を説明する。
【００１６】
第１の実施形態：
（構成）
図１乃至図５は本発明に係るバルーン付き超音波プローブの第１の実施の形態を示し、図１は本実施の形態のバルーン超音波プローブの概略構成を説明するもので、図１（ａ）は該バルーン付き超音波プローブの全体構成を示す断面図、図１（ｂ）は図１（ａ）に示す超音波プローブの先端部の拡大図、図１（ｂ）は図１（ａ）に示す超音波プーローブの先端部の第１の変形例を示す拡大図、図１（ｃ）は図１（ａ）に示す超音波プーローブの先端部の第２の変形例を示す拡大図である。また、図２乃至図５は本実施の形態のバルーン付き超音波プローブの作用を説明するためのもので、図２はバルーン先端部のバルーン固定部への固定状態を示す先端部近傍の断面図、図３はバルーン膨張時の初期段階の状態を示す先端部近傍の断面図、図４はバルーン過膨張時の状態を示す先端部近傍の断面図、図５はバルーン膨張時の最終段階の状態を示す先端部近傍の断面図である。
【００１７】
本実施の形態のバルーン付き超音波プローブは、図１（ａ）に示すように、超音波プロープ１，シース２，バルーン固定部３Ａ，ハウジング４，超音波振動子５，フレキシブルシャフト６，媒体７，チューブ８，口金９，バルーン１０，バルーンシース１１，コネクタ１２，注水／吸水装置１３及びバルーン止め部材１４とを含んで構成されている。
【００１８】
前記超音波プローブ１の体腔内に挿入する部分は、前記媒体７で満たされたシース２で覆われて構成されている。
【００１９】
このシース２の先端内には、挿入軸周りに回転可能で、また３次元走査型の超音波プローブでは挿入方向軸方向にも進退自在となる円柱形状のハウジング４が配置されている。
【００２０】
このハウジング４には、超音波を送受信する超音波振動子５が固定されており、さらに該ハウジングの基端側には、ハウジング４ら回転動力等を伝えるためのフレキシブルシャフト６が連結されている。
【００２１】
また、シース２の先端には、バルーン固定部３Ａが設けられており、さらにその先端側に突起状のバルーン止め部材１４が設けられて構成されている。
【００２２】
前記バルーン固定部３Ａは、第１の固定部３ａと第２の固定部３ｂとを有し、その外径は先端側の第１の固定部３ａの方が後端側の第２の固定部３ｂの方よりも細い２段階構造となるように構成されている。これにより、第１の固定部３ａは第２の固定部３ｂとの境界部分には段差ができ、バルーン先端部１５（Ｏリング状部ともいう）は、第１の固定部３ａから第２の固定部３ｂに移動し難くなる。
【００２３】
なお、本実施の形態では、前記バルーン先端部１５が前記第１の固定部３ａと前記第２の固定部３ｂに移動し易くするために、前記境界部分はテーパー形状に形成されることが望ましい。
【００２４】
また、図１（ａ），図１（ｂ）に示すように、本実施の形態では、バルーン先端部１５がバルーン固定部３Ａの第２の固定部３ｂ上を容易に移動しないよう強固に固定するために、第２の固定部３ｂの基端側の全周、または円周上に数カ所に溝１７を設けて構成されている。この溝１７の外径は、バルーン先端部１５の内径（Ｏリング部１５の内径）よりも大きく形成されている。
【００２５】
また、本実施の形態では、図１（ｃ）の変形例に示すように、前記溝１７が無い構成であっても良い。
【００２６】
さらに、本実施の形態では、前記バルーン止め部材１４は、図１（ｂ）に示すように、前記バルーン止め部材１４は、その外径がバルーン固定部３Ａの外径よりも大きく、その側面に挿入方向に対して先端と後端とを貫通する溝１６ａ、または図１（ｄ）の変形例に示すように、その先端と後端側側面とを貫通する穴１６ｂが数カ所設けられて構成されている。
【００２７】
一方、超音波プローブ１は、チューブ８の先端の口金９の基端側とが接続されており、該口金９の先端側とその先端部がＯリング状に成形されているバルーン１０が装着されている。この場合、バルーン１０は、超音波プローブ１の先端側（バルーン先端部１５近傍）から挿入部分を介して覆うように装着されており、また、該バルーン１０の基端が接続されている口金９近傍部分から所定範囲においては、バルーンシース１１で覆われるように構成されている。
【００２８】
バルーン先端部１５の内径（Ｏリング状部の内径）は、バルーン固定部３Ａの第１の固定部３ａの外径よりも大きく、バルーン固定部３Ａの第２の固定部３ｂよりも小さくなるように形成されている。
【００２９】
また、バルーン固定部３Ａの第１の固定部３ａ，第２の固定部３ｂの軸方向の長さは、バルーン先端部１５のＯリング状部の径より長くなるように形成されている。
【００３０】
さらに、超音波プローブ１の体腔内に挿入する部分の基端側とバルーンシース１１の基端は、コネクタ１２で固定されており、このコネクタ１２には、注水／吸水装置１３が接続されている。この注水／吸水装置１３は、チューブ８等を介してバルーン１０内に注水，及び吸水を行うための装置である。
【００３１】
（作用）
次に、本実施の形態のバルーン付き超音波プローブの特徴となる作用を図２乃至図５を参照しながら詳細に説明する。
【００３２】
いま、図１（ａ）に示す本実施の形態のバルーン付き超音波プローブを用いて、体腔内の超音波診断を行うものとする。この場合、本実施の形態のバルーン付き超音波プローブにおいては、図２に示すように、バルーン先端部１５を、バルーン固定部３Ａの第２の固定部３ｂの挿入方向後端側に固定する。このとき、前記バルーン先端部１５と第２の固定部３ｂとは、水密が確保されている。
【００３３】
そして、術者が図２に示すバルーン付き超音波プローブを体腔内に挿入し、目的部位に到達し、超音波プローブ１と観察部位との距離を所望の値に保つためにバルーン１０を膨張させるものとする。この場合、術者は図示しない操作部を操作することで、図１（ａ）に示す注水／吸水装置１３が駆動し、該注水／吸水装置１３は、コネクタ１２，チューブ８等を介してバルーン１０内に水等を注入し、バルーン１０を図３に示すように膨張させる。
【００３４】
その後、前記注水／吸水装置１３による許容量以上の注水により、バルーン１０内の内圧がある一定以上になると、バルーン固定部１５は、図４に示すように、バルーン固定部３Ａ上を挿入方向先端側（図中に示す矢印方向）移動することになる。
【００３５】
そして、バルーン先端部１５がバルーン固定部３Ａの第１の固定部３ａまで移動すると、該バルーン先端部１５と第１の固定部３ａとの水密が確保されなくなり、図４に示すように、バルーン１０の先端から水が漏れ、バルーン止め部材１４の溝１６ａまたは穴１６ｂを介して放水されることになる。これにより、バルーン１０は、収縮する。このとき、バルーン先端部１５は、バルーン止め部材１４の基端まで移動すると、該バルーンと止め部材１４の基端部との接触により止まり、超音波プローブ１先端から脱落することはない。
【００３６】
その後、一定量の放水が行われてバルーン１０内の内圧がある一定以下になると、図５に示すように、バルーン１０の収縮力に伴いバルーン先端部１５は、挿入方向とは逆方向（図中に示す矢印方向）に移動することになる。
【００３７】
そして、前記バルーン先端部１５がバルーン固定部３Ａの第２の固定部３ｂまで移動すると、該バルーン先端部１５と第２の固定部３ｂとの間の水密が確保されることで放水が止まることになる。すなわち、バルーン先端部１５と第２の固定部３ｂとの間の水密が確保されることにより、再びバルーン１０を膨張させて使用することが可能となる。
【００３８】
（効果）
したがって、本実施の形態によれば、バルーン１０に許容量以上の注水を行った場合に、バルーン先端部１５が超音波プローブ１の先端から外れることなくバルーン１０内の水を放出し、一定量以上の水が放水されると放水が止まりバルーン先端部と第２の固定部３ｂとの水密を確保することができるので、再度そのまま継続して使用することが可能となる。これにより、バルーン１０内に許容量以上注水したことによって生じる検査時間の増大を防止することが可能となる。
【００３９】
第２の実施形態：
（構成）
図６乃至図１０は本発明に係るバルーン付き超音波プローブの第２の実施の形態を示し、図６は本実施の形態のバルーン超音波プローブの概略構成を説明するもので、図６（ａ）は該バルーン付き超音波プローブの全体構成を示す断面図、図６（ｂ）は図６（ａ）に示す超音波プローブの先端部の拡大図、図６（ｃ）は図６（ｂ）に示す超音波プーローブの先端部の変形例を示す拡大図である。また、図７乃至図１０は本実施の形態のバルーン付き超音波プローブの作用を説明するためのもので、図７はバルーン先端部のバルーン固定部への固定状態を示す先端部近傍の断面図、図８はバルーン膨張時の初期段階の状態を示す先端部近傍の断面図、図９はバルーン過膨張時の状態を示す先端部近傍の断面図、図１０はバルーン膨張時の最終段階の状態を示す先端部近傍の断面図である。なお、図６乃至図１０は、前記第１の実施の形態のバルーン付き超音波プローブと同様な構成要素については同一に符号を付して説明を省略し、異なる部分のみを詳細に説明する。
【００４０】
本実施の形態では、前記第１の実施の形態のバルーン付き超音波プローブにおいて、前記バルーン固定部３Ａの第１の固定部３ａと第２の固定部３ｂとの間に設けられていた段差を無くすように構成したことが特徴である。
【００４１】
その他の構成については、図６（ａ）に示すように、前記第１の実施の形態のバルーン付き超音波プローブ（図１参照）と略同様であり、超音波プロープ１，シース２，バルーン固定部３Ｂ，ハウジング４，超音波振動子５，フレキシブルシャフト６，媒体７，チューブ８，口金９，バルーン１０，バルーンシース１１，コネクタ１２，注水／吸水装置１３及びバルーン止め部材１４とを含んで構成されている。
【００４２】
本実施の形態のバルーン付き超音波プローブにおいては、図６（ａ），図６（ｂ）に示すようにバルーン固定部３Ｂは、第１の固定部３ｃと第２の固定部３ｄとを有し、挿入方向先端側の第１の固定部３ｃには、バルーン止め部材１４の溝１７、または穴に通ずる溝１６ｃ、または穴１６ｄ（図６（ｂ）参照）が数カ所設けられて構成されている。
【００４３】
また、この場合、バルーン固定部３Ｂの前記第１の固定部３ｃ，第２の固定部３ｄ共通の外径は、バルーン先端部１５の内径（Ｏリング状部の内径）よりも大きく形成されている。
【００４４】
さらに、本実施の形態では、上述したように、前記第１の実施の形態とは異なり、前記バルーン固定部３Ｂの前記第１の固定部３ｃと前記第２の固定部３ｄとの間で段差がなく、面一に形成されている。
【００４５】
なお、本実施の形態では、前記バルーン固定部３Ｂは、図６（ａ），図６（ｂ）に示すように、前記バルーン先端部１５が前記第１の固定部３ｃから前記第２の固定部３ｄに移動し易くするために、前記第２の固定部３ｄの基端から前記第１の固定部３ｃの先端にかけて外径が大きくなるテーパー形状、すなわち、該第１の固定部３ｃの先端から第２の固定部３ｄの基端に欠けてバルーン先端部１５の締め付け率が小さくなるような形状に形成されることが望ましい。
【００４６】
また、本実施の形態では、図６（ｃ）の変形例に示すように、前記バルーン固定部３Ｂは、該バルーン固定部３Ｂの第１の固定部３ｃと第２の固定部３ｄとの外径が同じになる形状に構成されたバルーン固定部３Ｃとして構成するようにしても良い。
【００４７】
さらに、バルーン固定部３Ｂ，３Ｃの第１の固定部３ｃ，第２の固定部３ｄの軸方向の長さは、バルーン先端部１５のＯリング状部の径よりも長くなるように構成されている。
【００４８】
（作用）
次に、本実施の形態のバルーン付き超音波プローブの特徴となる作用を図７乃至図１０を参照しながら詳細に説明する。
【００４９】
いま、図６（ａ）に示す本実施の形態のバルーン付き超音波プローブを用いて、体腔内の超音波診断を行うものとする。この場合、本実施の形態のバルーン付き超音波プローブにおいては、前記第１の実施の形態と略同様に、図７に示すように、バルーン先端部１５を、バルーン固定部３Ｂの第２の固定部３ｄの挿入方向後端側に固定する。このとき、前記バルーン先端部１５と第２の固定部３ｄとは、水密が確保されている。
【００５０】
そして、術者が図７に示すバルーン付き超音波プローブを体腔内に挿入し、目的部位に到達し、超音波プローブ１と観察部位との距離を所望の値に保つためにバルーン１０を膨張させるものとする。この場合、術者は図示しない操作部を操作することで、図６（ａ）に示す注水／吸水装置１３が駆動し、該注水／吸水装置１３は、コネクタ１２，チューブ８等を介してバルーン１０内に水等を注入し、バルーン１０を図８に示すように膨張させる。
【００５１】
その後、前記注水／吸水装置１３による許容量以上の注水により、バルーン１０内の内圧がある一定以上になると、バルーン固定部１５は、図９に示すように、バルーン固定部３Ｂ上を挿入方向先端側（図中に示す矢印方向）移動することになる。この場合、本実施の形態では、前記バルーン固定部３Ｂの前記第１の固定部３ｃと前記第２の固定部３ｄとの間で段差がなく、面一でしかも、該第１の固定部３ｃの先端から第２の固定部３ｄの基端に欠けてバルーン先端部１５の締め付け率が小さくなるような形状に形成されているので、バルーン先端部１５が前記第２の固定部３ｄと前記第１の固定部３ｃに移動し易い。
【００５２】
そして、バルーン先端部１５がバルーン固定部３Ｂの第１の固定部３ｃまで移動すると、該バルーン先端部１５と第１の固定部３ｃとの水密が確保されなくなり、図９に示すように、バルーン１０の先端から水が漏れ、バルーン止め部材１４の溝１６ｃまたは穴１６ｄを介して放水されることになる。これにより、バルーン１０は、収縮する。このとき、バルーン先端部１５は、バルーン止め部材１４の基端まで移動すると、該バルーンと止め部材１４の基端部との接触により止まり、超音波プローブ１先端から脱落することはない。
【００５３】
その後、一定量の放水が行われてバルーン１０内の内圧がある一定以下になると、図１０に示すように、バルーン１０の収縮力に伴いバルーン先端部１５は、挿入方向とは逆方向（図中に示す矢印方向）に移動することになる。
【００５４】
そして、前記バルーン先端部１５がバルーン固定部３Ｂの第２の固定部３ｄまで移動すると、該バルーン先端部１５と第２の固定部３ｄとの間の水密が確保されることで放水が止まることになる。すなわち、バルーン先端部１５と第２の固定部３ｄとの間の水密が確保されることにより、再びバルーン１０を膨張させて使用することが可能となる。
【００５５】
（効果）
したがって、本実施の形態によれば、前記第１の実施の形態と同様の効果が得られる他に、前記バルーン固定部３Ｂの第１の固定部３ｃと第２の固定部３ｄとの間で段差を無くすように構成したので、バルーン先端部１５の円滑な移動作用と製造工程の簡略化といった効果が得られる。
【００５６】
なお、前記第１及び第２の実施の形態においては、前記バルーン固定部３Ａ（３Ｂ）の第１の固定部３ａ（３ｃ）と第２の固定部３ｂ（３ｄ）との間で段差を設け、又は無くし、テーパー形状に構成したが、本発明はこれに限定されるものではなく、バルーン先端部１５がバルーン固定部３Ａ（３Ｂ）の第１の固定部３ａ（３ｃ）と第２の固定部３ｂ（３ｄ）との間で円滑に移動可能な構成であれば良い。
【００５７】
また、本発明は上記第１及び第２の実施の形態、変形例に限定されるものではなく、各実施の形態や各種変形例の組み合わせや応用についても本発明に適用される。
【００５８】
［付記］
（付記項１）  内視鏡の鉗子チャンネルに挿通可能な挿入部の先端付近に超音波振動子を有し、その先端側にバルーンを係止するためのバルーン固定部を有する超音波プローブと、該超音波プローブに対し固定保持するためのバルーン先端部がＯリング状に成形されたバルーンをチューブの先端に固定したバルーンシースとを組み合わせて構成されたバルーン付き超音波プローブにおいて、
前記超音波プローブは、前記バルーン固定部の挿入方向の長さをバルーン先端部のＯリングの線径より長くして該バルーン先端部が前記バルーン固定部上を挿入方向に対して移動可能に構成し、
前記バルーン固定部は、挿入方向の前方側に配された第１の固定部と、後方側に配された第２の固定部とを有し、前記第１の固定部は前記バルーン先端部との間で前記バルーンの内側と外側を結ぶ経路が生成される連通構造となるように構成し、前記第２の固定部は前記バルーンの先端部との間で前記バルーンの内側と外側を結ぶ経路が生成されない非連通構造となるように構成したことを特徴とするバルーン付き超音波プローブ。
【００５９】
（付記項２）  前記バルーン固定部は、該バルーン固定部より挿入方向前方側に配され突起形状に形成されたバルーン止め部材を設け、該バルーン止め部材は、前記第１の固定部に設けられた経路が前記超音波プローブの外側に連通された構造で構成したことを特徴とする付記項１に記載のバルーン付き超音波プローブ。
【００６０】
（付記項３）  前記バルーン固定部の前記第２の固定部は、前記バルーン先端部を係止するための溝を設けたことを特徴とする付記項１または付記項２に記載のバルーン付き超音波プローブ。
【００６１】
（付記項４）  前記バルーン固定部の前記第１の固定部は、該第１の固定部の経路を生成するための溝または穴を設けたことを特徴とする付記項１または付記項２特徴とする付記項１乃至付記項３のいずれか１つに記載のバルーン付き超音波プローブ。
【００６２】
（付記項５）  前記バルーン固定部の前記第１の固定部の外径は、前記第２の固定部の外径よりも細く構成したことを特徴とする付記項１乃至付記項３のいずれか１つに記載のバルーン付き超音波プローブ。
【００６３】
（付記項６）  前記バルーン固定部の前記第１の固定部の外径は、前記第２の固定部の外径よりも細くすると同時に、該第１の固定部と該第２の固定部との間をテーパー状に構成したことを特徴とする付記項１乃至付記項３のいずれか１つに記載のバルーン付き超音波プローブ。
【００６４】
（付記項７）  前記バルーン固定部の外径は、前記第２の固定部から前記第１の固定部にかけてテーパー状に大きくなるように構成したことを特徴とする付記項１乃至付記項３のいずれか１つに記載のバルーン付き超音波プローブ。
【００６５】
【発明の効果】
以上、述べたように本発明によれば、許容量以上の注水が行われても、再度バルーン先端部をバルーン固定部に取付ける必要なく継続して使用可能なバルーン付き超音波プローブを提供することが可能となる。
【図面の簡単な説明】
【図１】本発明のバルーン付き超音波プローブの第１の実施の形態を示し、該バルーン超音波プローブの概略構成を説明する構成図。
【図２】図１のバルーン先端部のバルーン固定部への固定状態を示す先端部近傍の断面図。
【図３】バルーン膨張時の初期段階の状態を示す先端部近傍の断面図。
【図４】バルーン過膨張時の状態を示す先端部近傍の断面図。
【図５】バルーン膨張時の最終段階の状態を示す先端部近傍の断面図。
【図６】本発明のバルーン付き超音波プローブの第２の実施の形態を示し、該バルーン超音波プローブの概略構成を説明する構成図。
【図７】図６のバルーン先端部のバルーン固定部への固定状態を示す先端部近傍の断面図。
【図８】バルーン膨張時の初期段階の状態を示す先端部近傍の断面図。
【図９】バルーン過膨張時の状態を示す先端部近傍の断面図。
【図１０】バルーン膨張時の最終段階の状態を示す先端部近傍の断面図。
【符号の説明】
１…超音波プローブ、
２…シース、
３，３Ａ，３Ｂ，３Ｃ…バルーン固定部、
３ａ，３ｃ…第１の固定部、
３ｂ，３ｄ…第２の固定部、
４…ハウジング、
５…超音波振動子、
６…フレキシブルシャフト、
７…媒体、
８…チューブ、
９…口金、
１０…バルーン、
１１…バルーンシース、
１２…コネクタ、
１３…注水／吸水装置、
１４…バルーン止め部材、
１５…バルーン固定部（Ｏリング状部）。
【図１】
2004167009.tif 000003
【図２】
2004167009.tif 000004
【図３】
2004167009.tif 000005
【図４】
2004167009.tif 000006
【図５】
2004167009.tif 000007
【図６】
2004167009.tif 000008
【図７】
2004167009.tif 000009
【図８】
2004167009.tif 000010
【図９】
2004167009.tif 000011
【図１０】
2004167009.tif 000012